(57)【要約】      （修正有）【課題】骨盤矯正ベルト単体以上の優れた骨盤矯正作用によって優れたシェイプアップ効果やプロポーション向上効果などを発揮できると共に、着用感にも優れた骨盤サポート下着を提供する。【解決手段】伸縮性のメッシュ生地からなり、着用者の腹部を覆う前身頃１２ａと着用者の腰部から臀部を覆う後身頃とを有する下着本体１２，前記メッシュ生地よりも緊締力の強い帯状のパワーネットからなり、骨盤周囲を囲繞するように下着本体１２上部における前身頃１２ａの左右両脇部前側から後身頃の周方向全体に亘って縫着された骨盤安定着圧ベルト１４，及びクッション材からなり、後身頃の略中央部にて前記骨盤安定着圧ベルト１４上に取着され、腰部表面から仙骨全体に向けて押圧力を付与する仙骨安定パッド１６で構成されていることを特徴とする骨盤サポート下着１０である。【選択図】図１
0003161713.tif 000002
【実用新案登録請求の範囲】
【請求項１】
伸縮性のメッシュ生地からなり、着用者の腹部を覆う前身頃と着用者の腰部から臀部を覆う後身頃とを有する下着本体，
前記メッシュ生地よりも緊締力の強い帯状のパワーネットからなり、骨盤周囲を囲繞するように下着本体上部における前身頃の左右両脇部前側から後身頃の周方向全体に亘って縫着された骨盤安定着圧ベルト，及び
クッション材からなり、後身頃の略中央部にて前記骨盤安定着圧ベルトの内面側に取着され、腰部表面から仙骨全体に向けて押圧力を付与する仙骨安定パッドで構成されていることを特徴とする骨盤サポート下着。
【請求項２】
前記下着本体を構成するメッシュ生地がアトラスメッシュであることを特徴とする請求項１に記載の骨盤サポート下着。
【請求項３】
前記メッシュ生地よりも緊締力の強い帯状のパワーネットで構成され、下着本体の左右両脇から臀溝に対応する位置に亘って縫着されることによって臀部を持ち上げるヒップアップベルトがさらに設けられていることを特徴とする請求項１又は２に記載の骨盤サポート下着。
【請求項４】
前記前身頃には、前記メッシュ生地よりも緊締力の強いパワーネットが上下方向全体に裏打ちされたおなか押え部が設けられると共に、前記おなか押え部と前記骨盤安定着圧ベルトとが近接する前記前身頃の左右両脇部前側の上端部には、前記メッシュ生地のみで形成され、周辺部分よりも緊締力が弱く伸びの大きい低緊締部が設けられていることを特徴とする請求項１乃至３の何れかに記載の骨盤サポート下着。
【考案の詳細な説明】
【技術分野】
【０００１】
本考案は、骨盤安定化機能を有する下着に関し、特に、着用することで骨盤のズレや歪みなどを矯正して安定化させ、腰痛予防効果やシェイプアップ効果を発揮させることができる骨盤サポート下着に関する。
【背景技術】
【０００２】
骨盤は、左右1対の寛骨、仙骨及び尾骨で構成されており、大腿骨と脊柱との間で体を支える重要な骨部位である。この骨盤に歪みやズレが生じると、腰痛や内臓諸機能の低下などと云った身体の不調のみならず、「姿勢が悪くなる」、「下半身が太りやすくなる」等と云ったようなプロポーション悪化の原因にもなる。
【０００３】
そこで、このような骨盤の歪みやズレを防止するため、伸縮性素材からなるベルトを腰部に巻きつけることによって骨盤を圧迫する、所謂「骨盤矯正ベルト」が種々提案されている（例えば、特許文献１〜３）。
【０００４】
しかしながら、この種の骨盤矯正ベルトは、下着とは別に着用しなければならないことから、着用が面倒である。又、一定の着用位置から移動しないように留めるのが難しく、着用位置が不安定になり易いことから、歩行や屈伸運動などでベルトの着用位置が簡単にズレてしまい骨盤サポート機能を発揮することができなくなるという問題があった。
【０００５】
このような問題を解決し得る技術として、ガードルやパンツなどの下着に骨盤矯正ベルトを一体的に装着する技術(すなわち骨盤サポート下着)が提案されている（例えば、特許文献４，５参照）。このように下着に骨盤矯正ベルトを一体的に装着すれば、骨盤矯正ベルトの着用を容易にすることができ、しかも着用位置をズレ難くすることもできる。
【０００６】
しかしながら、高い伸縮性で腰部を圧迫する骨盤矯正ベルトの緊締力が、下着と一体化させることによって若干損なわれ、骨盤矯正ベルト単体の場合よりも骨盤矯正ベルトを身体の凹凸に沿って密着させるのが困難になる。特に腰部の中央に隙間ができ易く、仙骨への押圧力が損なわれるようになる。つまり、骨盤矯正ベルトと下着とを一体化させた物では、骨盤を安定化させるための緊締力が骨盤矯正ベルト単体に比べて相対的に弱くなるという問題があった。
【先行技術文献】
【特許文献】
【０００７】
【特許文献１】登録実用新案第３０２３５０４号公報
【特許文献２】登録実用新案第３０４６８０３号公報
【特許文献３】登録実用新案第３０７８９４３号公報
【特許文献４】登録実用新案第３１０２７４２号公報
【特許文献５】特開２００８−２９５６４３号公報
【考案の概要】
【考案が解決しようとする課題】
【０００８】
それゆえに本考案の主たる課題は、骨盤矯正ベルト単体以上の優れた骨盤矯正作用によって優れたシェイプアップ効果やプロポーション向上効果などを発揮できると共に、着用感にも優れた骨盤サポート下着を提供することである。
【課題を解決するための手段】
【０００９】
「請求項１」に記載した考案は、
（ａ）伸縮性のメッシュ生地からなり、着用者の腹部を覆う前身頃１２ａと着用者の腰部から臀部を覆う後身頃１２ｂとを有する下着本体１２，
（ｂ）前記メッシュ生地よりも緊締力の強い帯状のパワーネットからなり、骨盤周囲を囲繞するように下着本体１２上部における前身頃１２ａの左右両脇部前側から後身頃１２ｂの周方向全体に亘って縫着された骨盤安定着圧ベルト１４，及び
（ｃ）クッション材からなり、後身頃１２ｂの略中央部にて前記骨盤安定着圧ベルト１４の内面側に取着され、腰部表面から仙骨全体に向けて押圧力を付与する仙骨安定パッド１６で構成されている
（ｄ）ことを特徴とする骨盤サポート下着１０、である。
ここで、「緊締力」とは、生地がその弾性回復力で肌を締め付けて圧迫する力(パワー)を云う。従って、収縮性が良好で且つ伸びが少ない生地ほどこの緊締力は強いと云える。
【００１０】
「請求項２」に記載した考案は、請求項１に記載の骨盤サポート下着１０において、「前記下着本体１２を構成するメッシュ生地がアトラスメッシュである」ことを特徴とする。
ここで、「アトラスメッシュ」とは、キックバック性が高く、３６０度、縦、横、斜めの全方向において同等で且つしなやかな伸びを示すアトラス編の編組織からなるメッシュ生地のことを云う。
【００１１】
「請求項３」に記載した考案は、請求項１又は２に記載の骨盤サポート下着１０において、「前記メッシュ生地よりも緊締力の強い帯状のパワーネットで構成され、下着本体１２の左右両脇から臀溝に対応する位置に亘って縫着されることによって臀部を持ち上げるヒップアップベルト１８がさらに設けられている」ことを特徴とする。
【００１２】
「請求項４」に記載した考案は、請求項１乃至３の何れかに記載の骨盤サポート下着１０において、「前記前身頃１２ａには、前記メッシュ生地よりも緊締力の強いパワーネット２６ａが上下方向全体に裏打ちされたおなか押え部２６が設けられると共に、前記おなか押え部２６と前記骨盤安定着圧ベルト１４とが近接する前記前身頃１２ａの左右両脇部前側の上端部には、前記メッシュ生地のみで形成され、周辺部分よりも緊締力が弱く伸びの大きい低緊締部３０が設けられている」ことを特徴とする。
【考案の効果】
【００１３】
請求項１に記載の考案によれば、骨盤安定着圧ベルトで骨盤の周囲を締め付けると共に、仙骨安定パッドで仙骨に押圧力をかけることによって、骨盤の歪みやねじれを解消し、骨盤が歪んだりねじれたりしないように矯正して安定化させることができる。その結果、骨盤をニュートラルに動かすことができるようになり、骨盤における造血或いは造骨と云った諸機能を正常化させることができる。加えて、中殿筋や梨状筋と云ったインナーマッスルの癒着を抑えてこれらを活発に動かすことができるようになるので、シェイプアップ効果やヒップアップ効果を期待することもできる。
【００１４】
また、仙骨安定パッドがその押圧力で仙骨全体を常時サポートするようになるので、腰の歪みやねじれをより一層効果的に防止し、これらに起因する腰痛を予防することができる。
【００１５】
さらに、下着本体を通気性のよいメッシュ生地で構成しているので、長時間着用しても蒸れなどの生じることがなく、着用感に優れたものとなっている。
【００１６】
請求項２に記載の考案によれば、下着本体を構成するメッシュ生地を伸びの良いアトラスメッシュにすることで下着の着脱がさらに容易になると共に、身体の動きに生地がよく追従するようになるので非常に楽な履き心地となる。
【００１７】
請求項３に記載の考案によれば、ヒップアップベルトを設けることにより、臀部のプロポーションを向上させるのと同時に、このヒップアップベルトと骨盤安定着圧ベルトとが協働することによって骨盤をより一層安定化させることができるようになる。
【００１８】
請求項４に記載の考案によれば、おなか押え部によって下腹の出っ張りを押えてプロポーションを向上させることができる。又、前身頃の左右両脇部前側の上端部に周辺部分よりも緊締力が弱く伸びの大きい低緊締部を設けているので、骨盤サポート下着のウエスト部分全体が一定の緊締力及び伸縮性で構成されたものと異なり、ウエスト部分を簡単に拡げることができるようになる。それ故、骨盤サポート下着の着脱がより一層容易なものとなる。
【００１９】
以上のように、本考案によれば、骨盤矯正ベルト単体以上の優れた骨盤矯正作用によって優れたシェイプアップ効果やプロポーション向上効果などを発揮できると共に、着用感にも優れた骨盤サポート下着を提供することができる。
【図面の簡単な説明】
【００２０】
【図１】本考案における一実施例の骨盤サポート下着の概略を示す正面図である。
【図２】本考案における一実施例の骨盤サポート下着の概略を示す背面図である。
【図３】本考案における一実施例の骨盤サポート下着の概略を示す右側面図である。
【図４】本考案における一実施例の骨盤サポート下着の概略を示す平面図である。
【考案を実施するための形態】
【００２１】
以下、本考案を図面に従って詳述する。図１は本考案の一実施例の骨盤サポート下着１０の概略を示す正面図であり、図２はその背面図である。又、図３は同じく本考案の一実施例の骨盤サポート下着１０の概略を示す右側面図であり、図４はその平面図である。これらの図が示すように、本実施例の骨盤サポート下着１０は、大略、下着本体１２，骨盤安定着圧ベルト１４，仙骨安定パッド１６及び必要に応じて設けられるヒップアップベルト１８で構成されている。
【００２２】
下着本体１２は、伸縮性のメッシュ生地で構成されており、着用者の腹部を覆う前身頃１２ａと、着用者の腰部から臀部を覆う後身頃１２ｂと、着用者の大腿部を覆う脚筒部１２ｃとを備えている。本実施例では、骨盤サポート下着１０として三分丈ほどの脚筒部１２ｃを有する所謂ロングショーツタイプのものを示しているが、骨盤サポート下着１０のデザインは如何なるものであってもよく、例えば脚筒部１２ｃを有さない通常のショーツタイプであってもよい。
【００２３】
ここで、「メッシュ生地」とは、例えばトリコットやラッセルなどの編機により製造される、編物の表面に貫通孔を有する編物布帛のことであり、下着本体１２をこのような通気性のよいメッシュ生地で構成することにより、骨盤サポート下着１０を、長時間着用しても蒸れなどの生じることがない、着用感に優れたものにすることができる。
【００２４】
また、「伸縮性のメッシュ生地」を構成する繊維としては、スパンデックス等のポリウレタン系繊維或いはポリウレタン系繊維と他のナイロン、アクリル等との混紡繊維などを挙げることができる。
【００２５】
さらに、メッシュ生地の編組織は、例えばアトラス編やコード編など何れのものであってもよいが、トリコット編機やラッセル編機等でアトラス編にて編成されたアトラスメッシュを用いるのが特に好適である。このアトラスメッシュは、キックバック性が高く、３６０度、縦、横、斜めの全方向において同等で且つしなやかな伸びを示すことから、骨盤サポート下着１０の着脱がより容易になると共に、身体の動きに生地がよく追従するようになるので非常に楽な履き心地となる。
【００２６】
なお、本実施例の骨盤サポート下着１０では、下着本体１２のクロッチ部１２ｄ内面側に綿(コットン)を主体とした天竺素材からなる当て布２０が縫着されている(図４参照)。このため、別途ショーツなどを着用しなくとも、骨盤サポート下着１０のみをそのまま着用することができる。勿論、下にショーツなどを着用し、本実施例の骨盤サポート下着１０をガードルとして使用するようにしてもよい。
【００２７】
また、後身頃１２ｂの中央部には、着用者の臀裂部に沿うよう上下方向に延びた幅略１０ｍｍ前後の伸縮テープ２２が配設されると共に、この伸縮テープ２２と下着本体１２のメッシュ生地とを縫着する際に伸縮自在なギャザー２４が形成されている。このような伸縮テープ２２及びギャザー２４を設けることによって、後述するヒップアップベルト１８と協働してそのヒップアップ効果により臀部のプロポーションを向上させることができる。又、伸縮自在なギャザー２４を設けることによって、着用者の臀部や大腿部の動作をストレスなく円滑に行うことができるようになる。
【００２８】
さらに、前身頃１２ａの内面側における着用者の下腹が当接する上下方向全体に、下着本体１２を構成するメッシュ生地よりも緊締力の強いパワーネット２６ａが裏打ちされたおなか押え部２６が設けられている。
【００２９】
そして、下着本体１２のウエスト部である上端部には、肌触りがよく伸縮性に富んだウエストゴム２８が取付けられている。
【００３０】
骨盤安定着圧ベルト１４は、下着本体１２を構成するメッシュ生地よりも緊締力の強いパワーネットからなる帯状の布帛で、骨盤周囲を囲繞するように下着本体１２における前身頃１２ａの左右両脇部前方から後身頃１２ｂの周方向全体に亘って縫着されている。このように骨盤安定着圧ベルト１４は、その全体が下着本体１２に縫着されているので、骨盤安定着圧ベルト１４の着用を容易にすることができると共に、骨盤安定着圧ベルト１４の着用位置をズレ難くすることができる。なお、この骨盤安定着圧ベルト１４は、後身頃１２ｂ中央部に縫着される長手方向中央が最も幅広に形成されており、長手方向両端部に向かうに連れてはその幅が漸減するように形成されている。
【００３１】
ここで、骨盤安定着圧ベルト１４の長手方向両端部と上述のおなか押え部２６とが最も近接する前身頃１２ａの左右両脇部前側の上端部には、メッシュ生地のみで形成され、周辺部分よりも緊締力が弱く伸びの大きい低緊締部３０が設けられている。
【００３２】
仙骨安定パッド１６は、骨盤サポート下着１０着用者の腰部表面から仙骨全体に向けて押圧力を作用させるためのものであり、フェルトなどの不織布やウレタンフォーム等からなるクッション材によって構成されている。本実施例の場合、五角形に切り出した不織布の表面を綿１００％の綿天竺で被覆した仙骨安定パッド１６を、仙骨の形状に合わせてその五角形の先端１６ａを下向きにして使用している。そして、この仙骨安定パッド１６は、後身頃１２ｂの略中央部にて骨盤安定着圧ベルト１４の内面側に取着され、その水平部から前記先端１６ａに至る中央ライン１６ｂ上にて骨盤安定着圧ベルト１４に縫着され、中央ライン１６ｂの両側が骨盤安定着圧ベルト１４から浮いていて骨盤安定着圧ベルト１４に対してある程度の自由度を与えている。又、仙骨安定パッド１６の大きさは縫着部分における骨盤安定着圧ベルト１４とほぼ同じ大きさに形成されている。
【００３３】
ヒップアップベルト１８は、下着本体１２を構成するメッシュ生地よりも緊締力の強いパワーネットからなる帯状の布帛で、下着本体１２の左右両脇から着用者の臀溝に対応する位置に亘って縫着されている。ヒップアップベルト１８をこのような位置に縫着することによって該ヒップアップベルト１８が臀部を持ち上げるように作用する。
【００３４】
以上のような各部材で構成された本実施例の骨盤サポート下着１０によれば、骨盤安定着圧ベルト１４で骨盤の周囲を締め付けると共に、仙骨安定パッド１６で仙骨に押圧力をかけることによって、骨盤の歪みやねじれを解消し、骨盤が歪んだりねじれたりしないように矯正して安定化させることができる。その結果、骨盤をニュートラルに動かすことができるようになり、骨盤における造血或いは造骨と云った諸機能を正常化させることができる。加えて、中殿筋や梨状筋と云ったインナーマッスルの癒着を抑えてこれらを活発に動かすことができるようになるので、シェイプアップ効果やヒップアップ効果を期待することもできる。
【００３５】
また、仙骨安定パッド１６がその押圧力で仙骨全体を常時サポートするようになるので、腰の歪みやねじれをより一層効果的に防止し、これらに起因する腰痛を予防することができる。
【００３６】
さらに、ヒップアップベルト１８を設けることにより、臀部のプロポーションを向上させるのと同時に、このヒップアップベルト１８と骨盤安定着圧ベルト１４とが協働することによって骨盤をより一層安定化させることができるようになる。
【００３７】
そして、おなか押え部２６によって下腹の出っ張りを押えてプロポーションを向上させることができる。又、前身頃１２ａの左右両脇部前側の上端部に周辺部分よりも緊締力が弱く伸びの大きい低緊締部３０を設けているので、骨盤サポート下着１０上のウエスト部分全体が一定の緊締力及び伸縮性で構成されたものと異なり、ウエスト部分を簡単に拡げることができるようになる。それ故、骨盤サポート下着１０の着脱がより一層容易なものとなる。
【００３８】
以上のように、本実施例の骨盤サポート下着１０によれば、骨盤矯正ベルト単体以上の優れた骨盤矯正作用によって優れたシェイプアップ効果やプロポーション向上効果などを発揮できると共に、着用感にも優れた骨盤サポート下着を提供することができる。
【符号の説明】
【００３９】
１０…骨盤サポート下着
１２…下着本体
１２ａ…前身頃
１２ｂ…後身頃
１２ｃ…脚筒部
１２ｄ…クロッチ部
１４…骨盤安定着圧ベルト
１６…仙骨安定パッド
１８…ヒップアップベルト
２０…当て布
２２…伸縮テープ
２４…ギャザー
２６…おなか押え部
２６ａ…パワーネット
２８…ウエストゴム
３０…低緊締部
【図１】
0003161713.tif 000003
【図２】
0003161713.tif 000004
【図３】
0003161713.tif 000005
【図４】
0003161713.tif 000006